(57)【要約】【課題】端子収容室における端子の保持を安定化することができるコネクタを提供する。【解決手段】端子収容室３と、この端子収容室３に収容される接続部５を有する端子７と、この端子７を係止する係止突部９を有し端子収容室３内に撓み可能に設けられた係止ランス１１とを備えたコネクタ１において、端子７の接続部５に、係止ランス１１の係止突部９と端子７の端子収容室３からの離脱方向に係合する係合凸部１３を設け、係止突部９と係合凸部１３との間に、端子７の端子収容室３に対する挿抜方向に向けて突設された突起部１５と、係止突部９と係合凸部１３とが係合した状態で突起部１５が挿入される挿入凹部１７とを設けた。【選択図】図６
2018156764.tif 000002
【特許請求の範囲】
【請求項１】
端子収容室と、この端子収容室に収容される接続部を有する端子と、この端子を係止する係止突部を有し前記端子収容室内に撓み可能に設けられた係止ランスとを備えたコネクタであって、
前記端子の前記接続部には、前記係止ランスの前記係止突部と前記端子の前記端子収容室からの離脱方向に係合する係合凸部が設けられ、
前記係止突部と前記係合凸部との間には、前記端子の前記端子収容室に対する挿抜方向に向けて突設された突起部と、前記係止突部と前記係合凸部とが係合した状態で前記突起部が挿入される挿入凹部とが設けられていることを特徴とするコネクタ。
【請求項２】
請求項１記載のコネクタであって、
前記係合凸部は、前記接続部の中心に対して前記端子の前記端子収容室に対する挿抜方向と直交する方向のいずれか一方の側に配置されていることを特徴とするコネクタ。
【発明の詳細な説明】
【技術分野】
【０００１】
本発明は、コネクタに関する。詳細には、端子収容室に収容される端子を係止する係止ランスを有するコネクタに関する。
【背景技術】
【０００２】
従来、コネクタとしては、端子収容室と、この端子収容室に収容される接続部を有する端子と、この端子を係止する係止突部を有し端子収容室内に撓み可能に設けられた係止ランスとしての可撓片とを備えたものが知られている（例えば、特許文献１参照）。
【０００３】
このコネクタでは、端子の接続部に、係止ランスの係止突部と端子の端子収容室からの離脱方向に係合する係合凸部としての倒れ突片が設けられ、係止突部と倒れ突片との係合により端子の端子収容室からの抜け止めがなされる。
【先行技術文献】
【特許文献】
【０００４】
【特許文献１】特開２００５−２９４２３０号公報
【発明の概要】
【発明が解決しようとする課題】
【０００５】
しかしながら、上記特許文献１のようなコネクタでは、端子収容室内の端子に電線を介して電線引っ張り力などの外力が加わると、端子の係合凸部と係止ランスの係止突部との係合面に位置ズレが生じ、互いの係合面における係合代が不十分となり、端子収容室における端子の保持が不安定になる恐れがあった。
【０００６】
そこで、この発明は、端子収容室における端子の保持を安定化することができるコネクタの提供を目的としている。
【課題を解決するための手段】
【０００７】
請求項１記載の発明は、端子収容室と、この端子収容室に収容される接続部を有する端子と、この端子を係止する係止突部を有し前記端子収容室内に撓み可能に設けられた係止ランスとを備えたコネクタであって、前記端子の前記接続部には、前記係止ランスの前記係止突部と前記端子の前記端子収容室からの離脱方向に係合する係合凸部が設けられ、前記係止突部と前記係合凸部との間には、前記端子の前記端子収容室に対する挿抜方向に向けて突設された突起部と、前記係止突部と前記係合凸部とが係合した状態で前記突起部が挿入される挿入凹部とが設けられていることを特徴とする。
【０００８】
このコネクタでは、係止突部と係合凸部との間に、端子の端子収容室に対する挿抜方向に向けて突設された突起部と、係止突部と係合凸部とが係合した状態で突起部が挿入される挿入凹部とが設けられているので、突起部の挿入凹部への挿入により端子の係合凸部と係止ランスの係止突部との係合位置を保持することができる。
【０００９】
このため、端子収容室内の端子に電線を介して電線引っ張り力などの外力が加わっても、端子の係合凸部と係止ランスの係止突部との係合面における位置ズレを抑制することができ、互いの係合面における係合代を保持することができる。
【００１０】
従って、このようなコネクタでは、端子収容室における端子の保持を安定化することができる。
【００１１】
請求項２記載の発明は、請求項１記載のコネクタであって、前記係合凸部は、前記接続部の中心に対して前記端子の前記端子収容室に対する挿抜方向と直交する方向のいずれか一方の側に配置されていることを特徴とする。
【００１２】
このコネクタでは、係合凸部が、接続部の中心に対して端子の端子収容室に対する挿抜方向と直交する方向のいずれか一方の側に配置されているので、端子収容室内の端子に電線を介して電線引っ張り力などの外力が加わった場合、端子の係合凸部と係止ランスの係止突部との互いの係合面における係合代が不十分となり易い。
【００１３】
しかしながら、係合凸部が接続部の一側に配置されている場合でも、突起部の挿入凹部への挿入により端子の係合凸部と係止ランスの係止突部との係合位置が保持されているので、係合凸部と係止突部との係合面における係合代を確保でき、端子を端子収容室に安定して保持することができる。
【発明の効果】
【００１４】
本発明によれば、端子収容室における端子の保持を安定化することができるコネクタを提供することができるという効果を奏する。
【図面の簡単な説明】
【００１５】
【図１】本発明の実施の形態に係るコネクタの斜視図である。
【図２】図１のコネクタを逆側から見たときの斜視図である。
【図３】（ａ）は本発明の実施の形態に係るコネクタの端子の斜視図である。（ｂ）は図３（ａ）の端子を逆側から見たときの斜視図である。
【図４】（ａ）は本発明の実施の形態に係るコネクタの端子収容室の斜視図である。（ｂ）は図４（ａ）の側面図である。
【図５】本発明の実施の形態に係るコネクタの端子を端子収容室に収容したときの正面図である。
【図６】（ａ）は図５のＡ−Ａ断面図である。（ｂ）は図５のＢ−Ｂ断面図である。
【図７】本発明の実施の形態に係るコネクタの端子を端子収容室に収容したときの一部を断面とした正面図である。
【発明を実施するための形態】
【００１６】
図１〜図７を用いて本発明の実施の形態に係るコネクタについて説明する。
【００１７】
本実施の形態に係るコネクタ１は、端子収容室３と、この端子収容室３に収容される接続部５を有する端子７と、この端子７を係止する係止突部９を有し端子収容室３内に撓み可能に設けられた係止ランス１１とを備えている。
【００１８】
また、端子７の接続部５には、係止ランス１１の係止突部９と端子７の端子収容室３からの離脱方向に係合する係合凸部１３が設けられている。
【００１９】
そして、係止突部９と係合凸部１３との間には、端子７の端子収容室３に対する挿抜方向に向けて突設された突起部１５と、係止突部９と係合凸部１３とが係合した状態で突起部１５が挿入される挿入凹部１７とが設けられている。
【００２０】
また、係合凸部１３は、接続部５の中心に対して端子７の端子収容室３に対する挿抜方向と直交する方向のいずれか一方の側に配置されている。
【００２１】
図１〜図７に示すように、コネクタ１は、合成樹脂などの絶縁性材料からなるハウジング１９を有し、ハウジング１９にはレバー２１が回動可能に組付けられる。
【００２２】
このハウジング１９は、レバー２１の回動により、相手ハウジング（不図示）と嵌合可能となっている。
【００２３】
このようなハウジング１９には、複数の端子収容室３が設けられ、相手ハウジングと嵌合することにより、相手ハウジングに収容された複数の相手端子（不図示）と複数の端子収容室３に収容された複数の端子７とが電気的に接続される。
【００２４】
端子収容室３は、長さ方向の一端側が端子７を内部に挿入させる挿入開口２３となっており、長さ方向の他端側が内部に収容された端子７に接続される相手端子の雄型のタブ状の接続部（不図示）が挿入される接続開口２５となっている。
【００２５】
この複数の端子収容室３には、長さ方向の一端側の挿入開口２３からそれぞれ複数の端子７が収容される。
【００２６】
端子７は、導電性材料からなる１枚の板材に対して、打ち抜き加工や折り曲げ加工などを施すことによって、電線接続部２７と、接続部５とが連続する一部材で形成されている。
【００２７】
電線接続部２７は、被覆圧着部２９と、芯線圧着部３１とを備えている。
【００２８】
被覆圧着部２９は、一対の加締め片からなり、電源や機器などに接続された電線３３の端末部において、電線３３の被覆部を加締める。
【００２９】
この被覆圧着部２９を電線３３の被覆部に加締めることにより、端子７が電線３３に固定される。
【００３０】
芯線圧着部３１は、接続部５と被覆圧着部２９との間に設けられた一対の圧着片からなり、電線３３の端末部において、電線３３の被覆部から露出された芯線部を加締めて圧着される。
【００３１】
この芯線圧着部３１を電線３３の芯線部に圧着させることにより、端子７が電線３３に電気的に接続される。
【００３２】
接続部５は、底壁が電線接続部２７と連続する一部材で形成され、両側壁と上壁とを折り曲げ加工によって箱状に形成された雌型の接続部５からなる。
【００３３】
この接続部５には、内部に接続部５と連続する一部材で所定の付勢力を有するように弾性変形可能に接点部３５を有する弾性片３７が設けられている。
【００３４】
このような接続部５には、長さ方向の一端側に開口が設けられ、この開口から内部に相手端子のタブ状の接続部が挿入され、弾性片３７の付勢力によって接点部３５がタブ状の接続部と接触することにより、端子７と相手端子とが電気的に接続される。
【００３５】
このような箱状の接続部５を有する端子７は、端子収容室３の挿入開口２３から端子収容室３内に挿入され、端子収容室３内に設けられた係止ランス１１に係止されることにより、端子収容室３からの抜け止めがなされる。
【００３６】
係止ランス１１は、基端側が端子収容室３の底壁と連続する一部材で形成され、自由端側が端子収容室３の内部に向けて傾斜しタブ状の接続部が挿入される接続開口２５側に配置され、端子収容室３内の上下方向に撓み可能に設けられている。
【００３７】
この係止ランス１１の自由端側には、端子７に設けられた係合凸部１３に係合される係止突部９が係止ランス１１と連続する一部材で上方に向けて突設されている。
【００３８】
この係止ランス１１の係止突部９と端子７の係合凸部１３とは、端子収容室３内に端子７が収容された状態で、端子７の端子収容室３からの離脱方向に対向する互いの係合面が係合することにより、端子７が端子収容室３内に係止される。
【００３９】
ここで、端子収容室３のタブ状の接続部が挿入される接続開口２５は、ハウジング１９に組付けられるフロントホルダ３９に形成されている。
【００４０】
このフロントホルダ３９は、ハウジング１９に組付けられた状態で、係止ランス１１に係止された端子７の接続部５の先端側に配置され、端子７の端子収容室３へのそれ以上の挿入を規制する。
【００４１】
このようなフロントホルダ３９には、係止ランス１１の下方に位置する係止ランス１１の撓みを許容する空間に挿入される規制部（不図示）が設けられている。
【００４２】
この規制部は、端子７を端子収容室３に挿入させる場合、フロントホルダ３９がハウジング１９に対して仮係止状態となっており、係止ランス１１の下方に位置する空間に挿入されず、係止ランス１１が撓み可能となって係止ランス１１が端子７を係止することができる。
【００４３】
一方、規制部は、端子７を端子収容室３に収容させた後、フロントホルダ３９をハウジング１９に対して本係止状態とさせることにより、係止ランス１１の下方に位置する空間に挿入され、係止ランス１１が撓み不能となって係止ランス１１による端子７の係止が解除されることを防止する。
【００４４】
なお、係止ランス１１の係止突部９の幅方向両側には、解除治具（不図示）によって係止ランス１１を下方に向けて撓ませ、係止突部９と端子７の係合凸部１３との係合を解除させる解除部４１がそれぞれ設けられている。
【００４５】
このような係止ランス１１の係止突部９と係合する係合凸部１３は、端子７の接続部５に設けられている。
【００４６】
係合凸部１３は、端子７の接続部５の先端側で、接続部５の上壁に接続部５と連続する一部材で外方に向けて突設されている。
【００４７】
この係合凸部１３は、接続部５の中心を通る端子７の端子収容室３に対する挿抜方向の直線に対して、この直線と直交する方向のいずれか一方の側に配置されている。
【００４８】
このように係合凸部１３を接続部５の長さ方向の中心と異なる位置に配置させることにより、端子７の端子収容室３への誤挿入などを防止することができる。
【００４９】
このような係合凸部１３の電線接続部２７側には、係止ランス１１の係止突部９を挿入可能なように接続部５の上壁を切り欠いた切欠部４３が設けられ、弾性変形から復元された係止ランス１１の係止突部９が挿入される。
【００５０】
このような切欠部４３側に位置する係合凸部１３の端面は、係止ランス１１の係止突部９と端子７の端子収容室３からの離脱方向に対向する係合面となっており、この係合面は切欠部４３の内部にも配置されている。
【００５１】
このように係止ランス１１の係止突部９を挿入可能な切欠部４３を設け、切欠部４３の内部に係合凸部１３の係合面を設けることにより、係合凸部１３と係止突部９との互いの係合面における係合代を十分に確保することができ、端子７の端子収容室３からの抜け止めを安定して行うことができる。
【００５２】
このような係合凸部１３が設けられた端子７は、端子収容室３の挿入開口２３から端子収容室３内に収容され、接続部５の先端側が係止ランス１１と摺動しながら挿入されることにより、係止ランス１１を下方に向けて撓ませる。
【００５３】
そして、端子７が端子収容室３内の正規位置に配置されると、係止ランス１１が復元し、係止突部９が接続部５の切欠部４３に挿入され、係合凸部１３と係止突部９とが係合し、端子７の端子収容室３からの抜け止めがなされる。
【００５４】
このように端子７の端子収容室３からの抜け止めを行う係止突部９と係合凸部１３との間には、突起部１５と、挿入凹部１７とが設けられている。
【００５５】
突起部１５は、係止ランス１１の係止突部９の係合凸部１３との係合面から端子７の端子収容室３への挿入方向に向けて半球状に突設されている。
【００５６】
挿入凹部１７は、端子７の係合凸部１３の係止突部９との係合面から突起部１５を挿入可能なように端子７の端子収容室３への挿入方向に向けて凹まされた空間部となっている。
【００５７】
この突起部１５と挿入凹部１７とは、係止ランス１１が復元され、係止突部９と係合凸部１３とが係合するときに、突起部１５が挿入凹部１７に挿入される。
【００５８】
この突起部１５の挿入凹部１７への挿入により、係止突部９と係合凸部１３との係合位置を保持することができる。
【００５９】
このため、ハウジング１９から引き出された電線３３に引っ張り力などの外力が加わったとしても、係止突部９と係合凸部１３との互いの係合面において、図７の仮想線で示すように係合凸部１３が位置ズレして係合代が不十分となることがなく、係止突部９と係合凸部１３との係合代を確保することができる。
【００６０】
特に、係合凸部１３は、接続部５の長さ方向の中心と異なる位置に配置されているので、ハウジング１９や電線３３に加わる外力によって、係止突部９に対する位置ズレを起こし易くなっている。
【００６１】
しかしながら、係止突部９と係合凸部１３との係合位置は、突起部１５の挿入凹部１７への挿入によって保持されているので、係止突部９に対して係合凸部１３が位置ズレを起こすことがなく、係止突部９と係合凸部１３との係合代を確保することができる。
【００６２】
このようなコネクタ１では、係止突部９と係合凸部１３との間に、端子７の端子収容室３に対する挿抜方向に向けて突設された突起部１５と、係止突部９と係合凸部１３とが係合した状態で突起部１５が挿入される挿入凹部１７とが設けられているので、突起部１５の挿入凹部１７への挿入により端子７の係合凸部１３と係止ランス１１の係止突部９との係合位置を保持することができる。
【００６３】
このため、端子収容室３内の端子７に電線３３を介して電線引っ張り力などの外力が加わっても、端子７の係合凸部１３と係止ランス１１の係止突部９との係合面における位置ズレを抑制することができ、互いの係合面における係合代を保持することができる。
【００６４】
従って、このようなコネクタ１では、端子収容室３における端子７の保持を安定化することができる。
【００６５】
また、係合凸部１３は、接続部５の中心に対して端子７の端子収容室３に対する挿抜方向と直交する方向のいずれか一方の側に配置されているので、端子収容室３内の端子７に電線３３を介して電線引っ張り力などの外力が加わった場合、端子７の係合凸部１３と係止ランス１１の係止突部９との互いの係合面における係合代が不十分となり易い。
【００６６】
しかしながら、係合凸部１３が接続部５の一側に配置されている場合でも、突起部１５の挿入凹部１７への挿入により端子７の係合凸部１３と係止ランス１１の係止突部９との係合位置が保持されているので、係合凸部１３と係止突部９との係合面における係合代を確保でき、端子７を端子収容室３に安定して保持することができる。
【００６７】
なお、本実施の形態に係るコネクタでは、突起部を係止ランスの係止突部に設け、挿入凹部を端子の係合凸部に設けているが、これに限らず、突起部を端子の係合凸部に設け、挿入凹部を係止ランスの係止突部に設けてもよい。
【００６８】
また、ハウジングにフロントホルダを組付け、端子収容室の接続開口を形成させているが、これに限らず、ハウジングにフロントホルダを組付けずに、端子収容室に接続開口を形成させてもよい。
【００６９】
さらに、ハウジングにレバーを組付けているが、これに限らず、ハウジングにレバーを組付けずに、相手ハウジングと嵌合するようにしてもよい。
【符号の説明】
【００７０】
１…コネクタ
３…端子収容室
５…接続部
７…端子
９…係止突部
１１…係止ランス
１３…係合凸部
１５…突起部
１７…挿入凹部
【図１】
2018156764.tif 000003
【図２】
2018156764.tif 000004
【図３】
2018156764.tif 000005
【図４】
2018156764.tif 000006
【図５】
2018156764.tif 000007
【図６】
2018156764.tif 000008
【図７】
2018156764.tif 000009